(57)【特許請求の範囲】
【請求項１】
開口縁を備えた開口部が板状体に形成され、上記開口縁は、対向する二直線を湾曲線が含まれる線分を用いて連結する形状であり、この開口縁に可撓性ブッシュを嵌合して組み付ける可撓性ブッシュの組付構造において、上記可撓性ブッシュは、一端側部が上記開口縁の直線状部分に嵌合され、他端側部とその近傍の少なくとも一方が上記開口縁の湾曲線状部分に嵌合され、
この他端側部の先端が、上記一端側部を押圧するよう構成されたことを特徴とする可撓性ブッシュの組付構造。
【請求項２】
開口縁を備えた開口部が板状体に形成され、上記開口縁は、対向する二直線を湾曲線が含まれる線分を用いて連結する形状であり、この開口縁に可撓性ブッシュを嵌合して組み付ける可撓性ブッシュの組付構造において、上記可撓性ブッシュは、一端側部が上記開口縁の直線状部分に嵌合され、この一端側部の先端が、上記開口縁に形成された狭隘部に差し込まれて嵌合されたことを特徴とする可撓性ブッシュの組付構造。
【請求項３】
プラテンに沿って走行可能なキャリッジに、複数の記録ワイヤを備えた記録ヘッドが搭載される記録装置本体を有し、上記記録ワイヤを上記プラテンに向かって突出動作させて、上記記録ヘッドとプラテンとの間に搬送されるシートに画像を記録させ、
上記記録装置本体のフレームには、開口縁を備えた開口部が形成され、上記開口縁は、対向する二直線を湾曲線が含まれる線分を用いて連結する形状であり、この開口縁に可撓性ブッシュが嵌合されて組み付けられる記録装置において、
上記可撓性ブッシュは、一端側部が上記開口縁の直線状部分に嵌合され、他端側部とその近傍の少なくとも一方が上記開口縁の湾曲線状部分に嵌合され、
この他端側部の先端が、上記一端側部を押圧するよう構成されたことを特徴とする記録装置。
【請求項４】
プラテンに沿って走行可能なキャリッジに、複数の記録ワイヤを備えた記録ヘッドが搭載される記録装置本体を有し、上記記録ワイヤを上記プラテンに向かって突出動作させて、上記記録ヘッドとプラテンとの間に搬送されるシートに画像を記録させ、
上記記録装置本体のフレームには、開口縁を備えた開口部が形成され、上記開口縁は、対向する二直線を湾曲線が含まれる線分を用いて連結する形状であり、この開口縁に可撓性ブッシュが嵌合されて組み付けられる記録装置において、
上記可撓性ブッシュは、一端側部が上記開口縁の直線状部分に嵌合され、この一端側部の先端が、上記開口縁に形成された狭隘部に差し込まれて嵌合されたことを特徴とする記録装置。
【発明の詳細な説明】
【０００１】
【発明の属する技術分野】
本発明は、開口部の開口縁に可撓性ブッシュを組み付ける可撓性ブッシュの組付構造、及びこの組付構造を記録装置本体のフレームに備えた記録装置に関する。
【０００２】
【従来の技術】
プラテンに沿って走行可能なキャリッジに搭載された記録ヘッドの記録ワイヤが、上記プラテンへ向かって突出動作することにより、上記プラテンと上記記録ヘッドとの間に搬送されるシートに画像を記録する記録装置には、記録装置本体のフレームに可撓性ブッシュの組付構造を備えたものがある。
【０００３】
図７は、記録装置本体のサイドフレーム１０１に可撓性ブッシュ１０２の組付構造を適用したものである。即ち、図示しない上記記録ヘッドには、記録信号を送信するためのフレキシブルフラットケーブル（不図示）が接続されており、このフレキシブルフラットケーブルがサイドフレーム１０１の開口部１０３に挿通される。この開口部１０３の開口縁１０４による上記フレキシブルフラットケーブルの摩耗損傷を防止するために、上記開口縁１０４に樹脂製の可撓性ブッシュ１０２が嵌合されて組み付けられている。
【０００４】
【発明が解決しようとする課題】
ところが、近年、フレキシブルフラットケーブルの幅が広くなる傾向にある。このため、サイドフレーム１０１の開口部１０３も、このフレキシブルフラットケーブルに対応して幅広形状に形成される必要がある。しかし、開口部１０３を幅広形状にすると、この開口部１０３の開口縁１０４に嵌合される可撓性ブッシュ１０２と、開口部１０３に隣接して設置される部品１０５とが干渉する恐れがある。
【０００５】
また、可撓性ブッシュ１０２は、開口部１０３の開口縁１０４のうち、湾曲線状部分１０４Ｂに嵌合される場合には、曲げ変形に対する復元力が大きいので、この湾曲線状部分１０４Ｂへの嵌合力は強いが、開口縁１０４のうち直線状部分１０４Ａに嵌合される場合には、上記復元力がほとんど作用しないので、この直線状部分１０４Ａへの嵌合力は弱い。
【０００６】
このため、幅広形状の開口部１０３を形成するために、この開口部１０３の端部に開口縁１０４の直線状部分１０４Ａを形成し、この直線状部分１０４Ａに単に可撓性ブッシュ１０２を嵌合させただけでは、この可撓性ブッシュ１０２が脱落する恐れがある。
【０００７】
本発明の目的は、上述の事情を考慮してなされたものであり、開口部の開口縁に可撓性ブッシュを、脱落しないように確実に組み付けることができる可撓性ブッシュの組付構造、及びこの組付構造を備えた記録装置を提供することにある。
【０００８】
【課題を解決するための手段】
請求項１に記載の発明は、開口縁を備えた開口部が板状体に形成され、上記開口縁は、対向する二直線を湾曲線が含まれる線分を用いて連結する形状であり、この開口縁に可撓性ブッシュを嵌合して組み付ける可撓性ブッシュの組付構造において、上記可撓性ブッシュは、一端側部が上記開口縁の直線状部分に嵌合され、他端側部とその近傍の少なくとも一方が上記開口縁の湾曲線状部分に嵌合され、この他端側部の先端が、上記一端側部を押圧するよう構成されたことを特徴とするものである。
【０００９】
請求項２に記載の発明は、開口縁を備えた開口部が板状体に形成され、上記開口縁は、対向する二直線を湾曲線が含まれる線分を用いて連結する形状であり、この開口縁に可撓性ブッシュを嵌合して組み付ける可撓性ブッシュの組付構造において、上記可撓性ブッシュは、一端側部が上記開口縁の直線状部分に嵌合され、この一端側部の先端が、上記開口縁に形成された狭隘部に差し込まれて嵌合されたことを特徴とするものである。
【００１０】
請求項３に記載の発明は、プラテンに沿って走行可能なキャリッジに、複数の記録ワイヤを備えた記録ヘッドが搭載される記録装置本体を有し、上記記録ワイヤを上記プラテンに向かって突出動作させて、上記記録ヘッドとプラテンとの間に搬送されるシートに画像を記録させ、上記記録装置本体のフレームには、開口縁を備えた開口部が形成され、上記開口縁は、対向する二直線を湾曲線が含まれる線分を用いて連結する形状であり、この開口縁に可撓性ブッシュが嵌合されて組み付けられる記録装置において、上記可撓性ブッシュは、一端側部が上記開口縁の直線状部分に嵌合され、他端側部とその近傍の少なくとも一方が上記開口縁の湾曲線状部分に嵌合され、この他端側部の先端が、上記一端側部を押圧するよう構成されたことを特徴とするものである。
【００１１】
請求項４に記載の発明は、プラテンに沿って走行可能なキャリッジに、複数の記録ワイヤを備えた記録ヘッドが搭載される記録装置本体を有し、上記記録ワイヤを上記プラテンに向かって突出動作させて、上記記録ヘッドとプラテンとの間に搬送されるシートに画像を記録させ、上記記録装置本体のフレームには、開口縁を備えた開口部が形成され、上記開口縁は、対向する二直線を湾曲線が含まれる線分を用いて連結する形状であり、この開口縁に可撓性ブッシュが嵌合されて組み付けられる記録装置において、上記可撓性ブッシュは、一端側部が上記開口縁の直線状部分に嵌合され、この一端側部の先端が、上記開口縁に形成された狭隘部に差し込まれて嵌合されたことを特徴とするものである。
【００１２】
請求項１または３に記載の発明には、次の作用がある。
【００１３】
一般に、可撓性ブッシュは、開口部の開口縁のうち、湾曲線状部分に嵌合される場合には、曲げ変形に対する復元力が大きいので開口縁への嵌合力が強く、また、開口縁のうち直線状部分に嵌合される場合には、上記復元力がほとんど作用しないので開口縁への嵌合力が弱い。
【００１４】
この発明では、可撓性ブッシュは、一端側部が開口縁の直線状部分に嵌合され、他端側部分とその近傍の少なくとも一方が開口縁の湾曲線状部分に嵌合され、この他端側部の先端が、上記一端側部を押圧するよう構成されたので、可撓性ブッシュのうち、開口縁への嵌合力の強い他端側部が、開口縁への嵌合力の弱い一端側部を良好に支持することになる。このため、開口縁の直線状部分に嵌合する可撓性ブッシュの一端側部が開口縁から脱落することを防止できるので、開口部の開口縁に可撓性ブッシュを脱落しないように確実に組み付けることができる。
【００１５】
また、開口縁の直線状部分に嵌合される可撓性ブッシュの一端側部の脱落が防止されるので、可撓性ブッシュが嵌合される開口縁の一部に、直線状部分を用いて鋭角形状部を形成できる。この鋭角形状部の形成によって、有効幅の広い開口部を構成できるとともに、開口部の開口縁に嵌合される可撓性ブッシュと、この開口部に隣接して取り付けられる部品との干渉を防止できる。
【００１６】
請求項２または４に記載の発明には、次の作用がある。
【００１７】
開口部における開口縁の直線状部分に嵌合される可撓性ブッシュの一端側部は嵌合力が弱いが、この一端側部の先端が、開口縁に形成された狭隘部に差し込まれて嵌合されたことから、この可撓性ブッシュの一端側部が開口縁に良好に支持されて、その脱落が防止される。このため、開口部の開口縁に可撓性ブッシュを脱落しないように確実に組み付けることができる。
【００１８】
また、開口縁の直線状部分に嵌合される可撓性ブッシュの一端側部の脱落が防止されるので、可撓性ブッシュが嵌合される開口縁の一部に、直線状部分を用いて鋭角形状部を形成できる。この鋭角形状部の形成によって、有効幅の広い開口部を構成できるとともに、開口部の開口縁に嵌合される可撓性ブッシュと、この開口部に隣接して取り付けられる部品との干渉を防止できる。
【００１９】
更に、可撓性ブッシュは、一端側部の先端が、開口縁に形成された狭隘部に差し込まれて嵌合されることにより良好に支持されることから、可撓性ブッシュを開口部の開口縁に嵌合させる作業において、作業の最初の工程で上述の差込嵌合を実施することにより、可撓性ブッシュが不用意に動くことを防止でき、この状態を保持できる。従って、その後、可撓性ブッシュの他の部分を開口縁に嵌合させる作業が容易になり、作業性を向上させることができる。
【００２０】
【発明の実施の形態】
以下、本発明の実施の形態を、図面に基づき説明する。
【００２１】
図１は、本発明に係る記録装置の一実施の形態が適用されたドットインパクトプリンタのプリンタ本体を示す斜視図である。図２は、図１のプリンタ本体の側断面図である。
【００２２】
これらの図に示す記録装置としてのプリンタ１０は、記録ヘッドの多数の記録ワイヤを、インクリボン（共に図示せず）を介してシートに打ち付けてドットを記録することにより、文字を含む画像を印刷するドットインパクトプリンタである。このプリンタ１０は、記録装置本体としてのプリンタ本体１１と、プリンタ本体１１に装着されたプッシュトラクタユニット１２と、プリンタ本体１１の上方、下方をそれぞれ覆うアッパケース（不図示）及びロアケース１３と、プリンタ本体１１の前方側に設置されてカットシートＫを案内するシート供給ガイド４３と、を有して構成される。
【００２３】
上記シートには、所定長さに切断された上記カットシートＫと、複数枚が連接された連続シートとがある。カットシートＫとしては、例えば単票紙、複写紙又はカットフィルム等があり、連続シートとしては連続紙がある。
【００２４】
上記プリンタ本体１１は、本体フレームとしてのベースフレーム１４、メインフレーム１５、左サイドフレーム１６及び右サイドフレーム１７と、記録機構部としての記録ヘッド１８及びキャリッジ１９と、シート搬送機構部としてのプラテン２０、シート案内２５、第１搬送ローラ２１、第２搬送ローラ２２、第３搬送ローラ２３及び第４搬送ローラ２４と、を有して構成される。
【００２５】
ベースフレーム１４及びメインフレーム１５の略両端部に、左サイドフレーム１６及び右サイドフレーム１７が立設して固定される。これらの左サイドフレーム１６と右サイドフレーム１７間に、ロアキャリッジ軸２６とアッパキャリッジ軸２７が上下方向に所定距離離れて架け渡される。このうち、ロアキャリッジ軸２６が左サイドフレーム１６及び右サイドフレーム１７に回動自在に枢支される。また、左サイドフレーム１６と右サイドフレーム１７間にプラテン２０が架け渡されて回転自在に配設されると共に、シート案内２５が固定して配設される。
【００２６】
図２に示す上記プッシュトラクタユニット１２は、連続シート（例えば連続紙）を、プラテン２０を備えた上記シート搬送機構部へ供給するものであり、左右一対のトラクタ２８を有する。これらのトラクタ２８は、トラクタ駆動軸２９に回転一体且つ軸方向摺動自在に軸支されたトラクタ駆動プーリ（不図示）と、トラクタガイド軸３０に回転自在且つ軸方向に摺動自在に軸支されたトラクタ従動プーリ（不図示）とにトラクタベルト３１が巻き掛けられ、シート押え蓋３２を備えて構成される。
【００２７】
一対のトラクタ２８間の距離は、搬送すべき連続シート（連続紙）の幅寸法に応じて調整可能とされる。また、トラクタベルト３１の全外周に突設された複数本のピン３３が、連続シートの幅方向両側に穿設された穴（不図示）に係合可能とされる。
【００２８】
プラテン２０を含む上記シート搬送機構部は、プラテン２０に対し、第１搬送ローラ２１及び第２搬送ローラ２２がプリンタ本体１１の前方側に、第３搬送ローラ２３及び第４搬送ローラ２４がプリンタ本体１１の後方側にそれぞれ配置されて構成される。更に、第１搬送ローラ２１と第２搬送ローラ２２が、また第３搬送ローラ２３と第４搬送ローラ２４が、それぞれ上下方向に配置されて対をなす。
【００２９】
このうち、第１搬送ローラ２１及び第３搬送ローラ２３は、プラテン２０と共にシート案内２５の下方に配置され、第２搬送ローラ２２及び第４搬送ローラ２４がシート案内２５の上方に配置される。プラテン２０、第１搬送ローラ２１及び第３搬送ローラ２３の上部は、シート案内２５の上方に突出した状態となっている。また、シート案内２５におけるプリンタ本体１１の前方側には、シート案内２５との間でシートを保持するシート保持プレート３７が設けられている。
【００３０】
プラテン２０、第１搬送ローラ２１、第２搬送ローラ２２、第３搬送ローラ２３及び第４搬送ローラ２４は、駆動輪列部３４により、図２の時計方向（ＣＷ）または反時計方向（ＣＣＷ）に回転駆動される。また、前記プッシュトラクタユニット１２のトラクタベルト３１は、同様に駆動輪列部３４により反時計方向に駆動される。
【００３１】
図１に示す上記駆動輪列部３４は、左サイドフレーム１６又は右サイドフレーム１７の一方、例えば右サイドフレーム１７に設置される。この駆動輪列部３４は、正転または逆転可能なシート供給モータ３５の駆動軸に回転一体に固定されたモータピニオン３６を備える。このモータピニオン３６をからの駆動力が巻掛け伝動機構や歯車機構を介して、プラテン２０、第１搬送ローラ２１、第２搬送ローラ２２、第３搬送ローラ２３、第４搬送ローラ２４及びプッシュトラクタユニット１２へ伝動可能とされる。
【００３２】
単票紙又は複写紙等のカットシートＫは、図２に示すように、プリンタ本体１１の前方側から手動供給された後、プラテン２０、第１搬送ローラ２１及び第３搬送ローラ２３の時計方向の回転、並びに第２搬送ローラ２２、第４搬送ローラ２４の反時計方向の回転により、プリンタ本体１１の前方から後方へ向かって矢印Ａ方向に搬送され、また、プラテン２０、第１搬送ローラ２１及び第３搬送ローラ２３の反時計方向の回転、並びに第２搬送ローラ２２、第４搬送ローラ２４の時計方向の回転により、プリンタ本体１１の後方から前方へ向かって矢印Ｂ方向に搬送される。
【００３３】
他方、連続紙等の連続シートは、プッシュトラクタユニット１２によりプリンタ本体１１の後方側から矢印Ｂ方向に供給された後、プラテン２０、第１搬送ローラ２１、第２搬送ローラ２２、第３搬送ローラ２３及び第４搬送ローラ２４により同方向（矢印Ｂ方向）に搬送される。
【００３４】
これにより、カットシートＫ及び連続シートは、キャリッジ１９の後述の主走査方向に直交する副走査方向に搬送される。
【００３５】
上記キャリッジ１９は、図１に示すように、ロアキャリッジ軸２６及びアッパキャリッジ軸２７に摺動自在に挿通されると共に、記録ヘッド１８を搭載する。ロアキャリッジ軸２６及びアッパキャリッジ軸２７がプラテン２０と平行に配置されることから、キャリッジ１９は、これらプラテン２０、ロアキャリッジ軸２６及びアッパキャリッジ軸２７の軸方向と一致する主走査方向に走行（走査）可能に設けられる。
【００３６】
このキャリッジ１９は、キャリッジ駆動モータ３８の正転又は逆転により往復移動されるタイミングベルト３９（図２）に結合される。従って、キャリッジ１９は、キャリッジ駆動モータ３８の正転又は逆転により、タイミングベルト３９を介し、ロアキャリッジ軸２６及びアッパキャリッジ軸２７に案内されて、主走査方向における図１の左向き又は右向きに走査される。ここで、キャリッジ駆動モータ３８は、シート供給モータ３５と共に例えばステッピングモータにて構成される。
【００３７】
また、キャリッジ１９には、図１に示すように、リボンカセット装着部４０が設けられ、このリボンカセット装着部４０に、インクリボンを収納したリボンカセット（共に図示せず）が装着される。更にキャリッジ１９には、リボンカセットのインクリボンをプラテン２１の上方周面に接して搬送されるシート（カットシートまたは連続シート）から保護するリボンマスクホルダ４１が設置されている。リボンカセット内のインクリボンは、リボンカセット装着部４０に設置されたリボン駆動軸４２により、記録ヘッド１８の記録ワイヤの前方を移動可能に設けられる。
【００３８】
上記記録ヘッド１８は多数の記録ワイヤ（不図示）を備え、これらの記録ワイヤの突出方向前方に、上述の如くインクリボンが位置する。記録ヘッド１８は、キャリッジ１９と共に主走査方向に走査される間に、記録ワイヤを突出させてインクリボンに打ち当て、このインクリボンのインクを、プラテン２０（図２）と記録ヘッド１８との間に搬送されるシート（カットシートＫ又は連続シート）に付着させて、このシートに文字を含む画像を記録する。
【００３９】
記録ヘッド１８による記録動作は、キャリッジ１９が主走査方向左向き又は右向きに走査される間に、記録ヘッド１８の記録ワイヤにより一行文の記録がなされ、この一行文の記録がなされる度に、シートがカットシートＫの場合には、シート搬送機構部（プラテン２０、第１搬送ローラ２１、第２搬送ローラ２２、第３搬送ローラ２３及び第４搬送ローラ２４）が、またシートが連続シートの場合には、上記シート搬送機構部及びプッシュトラクタユニット１２が、それぞれシートを所定長（通常行間分）搬送させ、これらの動作が繰り返されることにより実施される。
【００４０】
ところで、図２に示すように、プリンタ本体１１の後方側下部に制御基板４５が配置され、この制御基板４５と記録ヘッド１８とがフレキシブルフラットケーブル４６（図４）により接続されている。制御基板４５からフレキシブルフラットケーブル４６を介してプリンタ本体１１へ記録信号が送信される。なお、図１中の符号４４は、キャリッジ駆動モータ３８を設置して支持するモータ取付ブラケットである。
【００４１】
上記フレキシブルフラットケーブル４６は、図３及び図４に示すように、右サイドフレーム１７に形成された開口部４７に挿通される。この開口部４７の開口縁４８は、平行して対向する２つの直線状部分４９Ａと直線状部分４９Ｂとを、湾曲線状部分５０、湾曲線状部分５１及び狭隘部５２を用いて連結する形状である。
【００４２】
湾曲線状部分５１は、曲率半径を同一とする湾曲線により形成される。また、湾曲線状部分５０は、直線状部分４９Ｂから直線状部分４９Ａへ向かって曲率半径が漸次増大する湾曲線により形成される。更に、狭隘部５２は、湾曲線状部分５０と直線状部分４９Ａとに連続され、湾曲線状部分５１に比べ極めて小さな曲率半径の湾曲線を有して構成され、後述の可撓性ブッシュ５３を狭持可能とする。
【００４３】
ここで、開口縁４８のうち、上記直線状部分４９Ａと湾曲線状部分５０とのなす角度αは鋭角に構成されて、開口縁４８に鋭角形状部５９が形成される。開口部４７は、この鋭角形状部５９が形成されることによって、幅Ｗが、幅広のフレキシブルフラットケーブル４６を充分に挿通可能な寸法に設定される。また、鋭角形状部５９が形成されることによって、開口部４７の幅Ｗが大きく設定された場合にも、隣接する他部品６０と、後述の如く開口縁４８に嵌合される可撓性ブッシュ５３とが干渉しないよう構成される。
【００４４】
このように形成された開口部４７の開口縁４８に、図５に示すように、可撓性ブッシュ５３が嵌合されて組み付けられる。開口部４７の開口縁４８に可撓性ブッシュ５３が組み付けられることにより、開口部４７内に挿通されるフレキシブルフラットケーブル４６が開口縁４８に直接接触することが防止されて、フレキシブルフラットケーブル４６の開口縁４８による摩耗損傷が防止される。
【００４５】
可撓性ブッシュ５３は例えば樹脂にて構成され、図６に示すように、平面長尺形状のベース部５４の片側面から、矩形状の多数の突起５５が一体に突設され、これらの突起５５が２列に縦列されたものである。縦列された各列の突起５５が開口部４７の開口縁４８を挟持することによって、可撓性ブッシュ５３が開口部４７の開口縁４８に嵌合される。また、この可撓性ブッシュ５３は、ベース部５４から突起５５が突出された方向（図６（Ｂ）の矢印Ｈ方向）に撓み変形可能に構成される。
【００４６】
上述のように構成された可撓性ブッシュ５３は、一端側部５６が、開口部４７における開口縁４８のうち、直線状部分４９Ａの湾曲線状部分５０側に嵌合され、この一端側部５６から離れるに従って直線状部分４９Ａの湾曲線状部分５１側、湾曲線状部分５１、直線状部分４９Ｂの湾曲線状部分５１側、直線状部分４９Ｂの湾曲線状部分５０側と順次嵌合され、他端側部５７及び他端側部近傍５８が湾曲線状部分５０に嵌合される。このとき、可撓性ブッシュ５３における他端側部５７の先端５７Ｐが、一端側部５６を押圧するよう構成される。更に、可撓性ブッシュ５３における一端側部５６の先端５６Ｐが、開口縁４８の狭隘部５２に差し込まれて嵌合される。
【００４７】
上述のように、可撓性ブッシュ５３における他端側部５７の先端５７Ｐが一端側部５６を押圧し得る理由は、次の通りである。開口縁４８の直線状部分４９Ａに嵌合する一端側部５６は、曲げ変形による復元力がほとんど作用せず嵌合力が弱いので、直線状部分４９Ａから脱落し易い。これに対し、開口縁４８の湾曲線状部分５０に嵌合する他端側部５７及び他端側部近傍５８は、湾曲線状部分５０により曲げ変形されて復元力が大きくなり、湾曲線状部分５０への嵌合力が強い。このため、この嵌合力の強い他端側部５７の先端５７Ｐが一端側部５６を押圧して、この一端側部５６を支持することができるのである。
【００４８】
また、上述のように、可撓性ブッシュ５３における一端側部５６の先端５６Ｐを開口縁４８の狭隘部５２に差込嵌合させるのは、開口縁４８の直線状部分４９Ａに嵌合される一端側部５６の嵌合力が弱いので、開口縁４８への可撓性ブッシュ５３の嵌合作業において、最初の工程で可撓性ブッシュ５３を開口縁４８に固定するためであり、更に、一端側部５６が直線状部分４９Ａに嵌合された状態を保持するためである。
【００４９】
可撓性ブッシュ５３を、右サイドフレーム１７における開口部４７の開口縁４８に上述のように嵌合させて組み付ける作業においては、まず最初に、可撓性ブッシュ５３の一端側部５６における先端５６Ｐを開口縁４８の狭隘部５２に差込嵌合して、この可撓性ブッシュ５３を開口縁４８に固定する。次に、可撓性ブッシュ５３の一端側部５６を開口縁４８の直線状部分４９Ａに嵌合し、この一端側部５６から他端側部５７へ向かって可撓性ブッシュ５３を順次開口縁４８に嵌合する。最後に、可撓性ブッシュ５３の他端側部５７及び他端側部近傍５８を開口縁４８の湾曲線状部分５０に嵌合し、この他端側部５７の先端５７Ｐを一端側部５６に押圧して、可撓性ブッシュ５３の組み付けを完了する。
【００５０】
従って、上記実施の形態によれば、次の効果▲１▼〜▲４▼を奏する。
【００５１】
▲１▼可撓性ブッシュ５３は、開口部４７の開口縁４８のうち、湾曲線状部分５０または湾曲線状部分５１に嵌合される場合には、曲げ変形に対する復元力が大きいので開口縁４８への嵌合力が強く、また、開口縁４８のうち直線状部分４９Ａまたは４９Ｂに嵌合される場合には、上記復元力がほとんど作用しないので開口縁４８への嵌合力が弱い。上記実施の形態では、可撓性ブッシュ５３は、一端側部５６が開口縁４８の直線状部分４９Ａに嵌合され、他端側部５７及び他端側部近傍５８が開口縁４８の湾曲線状部分５０に嵌合され、この他端側部５７の先端５７Ｐが、上記一端側部５６を押圧するよう構成されたので、可撓性ブッシュ５３のうち、開口縁４８への嵌合力の強い他端側部５７が、開口縁４８への嵌合力の弱い一端側部５６を良好に支持することになる。このため、開口縁４８の直線状部分４９Ａに嵌合する可撓性ブッシュ５３の一端側部５６が開口縁４８から脱落することを防止できるので、開口部４７の開口縁４８に可撓性ブッシュ５３を脱落しないよう確実に組み付けることができる。
【００５２】
▲２▼開口部４７における開口縁４８の直線状部分４９Ａに嵌合される可撓性ブッシュ５３の一端側部５６は嵌合力が弱いが、この一端側部５６の先端５６Ｐが、開口縁４８に形成された狭隘部５２に差し込まれて嵌合されたことから、この可撓性ブッシュ５３の一端側部５６が開口縁４８に良好に支持されて、その脱落が防止される。このため、開口部４７の開口縁４８に可撓性ブッシュ５３を脱落しないように確実に組み付けることができる。
【００５３】
▲３▼上記▲１▼及び▲２▼のように、開口部４７における開口縁４８の直線状部分４９Ａに嵌合される可撓性ブッシュ５３の一端側部５６の脱落が防止されるので、可撓性ブッシュ５３が嵌合される開口縁４８の一部に、直線状部分４９Ａを用いて鋭角形状部５９を形成できる。この鋭角形状部５９の形成によって、有効幅の広い開口部４７を構成できるとともに、開口部４７の開口縁４８に嵌合される可撓性ブッシュ５３と、この開口部４７に隣接して取り付けられる他部品６０との干渉を防止できる。
【００５４】
▲４▼可撓性ブッシュ５３は、一端側部５６の先端５６Ｐが、開口縁４８に形成された狭隘部５２に差し込まれて嵌合されることにより良好に支持されるので、可撓性ブッシュ５３を開口部４７の開口縁４８に嵌合させる作業において、作業の最初の工程で上述の差込嵌合を実施することにより、可撓性ブッシュ５３が不用意に動くことを防止でき、つまり固定でき、この状態を保持できる。従って、その後、可撓性ブッシュ５３の他の部分を開口縁４８に嵌合させる作業が容易となり、作業性を向上させることができる。
【００５５】
以上、本発明を上記実施の形態に基づいて説明したが、本発明はこれに限定されるものではない。
【００５６】
例えば、上記実施の形態では、可撓性ブッシュ５３が開口部４７の開口縁４８に嵌合された状態で、可撓性ブッシュ５３の一端側部５６の先端５６Ｐが開口縁４８の狭隘部５２に差込嵌合され、且つ、可撓性ブッシュ５３の他端側部５７の先端５７Ｐが一端側部５６を押圧するものを述べたが、上記先端５６Ｐの差込嵌合と先端５７Ｐの押圧とのいずれか一方が実施されるものでもよい。
【００５７】
また、上記実施の形態では、開口部４７の開口縁４８における湾曲線状部分５０が異なる曲率半径の湾曲線により構成されて、可撓性ブッシュ５３の他端側部５７及び他端側部近傍５８がこの湾曲線状部分５０に嵌合されるものを述べたが、この湾曲線状部分５０に対応する湾曲線状部分６１は、図４の二点鎖線に示すように、直線状部分４９Ｂに連続した湾曲線６２と、狭隘部５２に連続した直線６３とが相互に連続して構成されてもよい。このときには、可撓性ブッシュ５３の他端側部５７が湾曲線状部分６１の直線６３に嵌合され、他端側部近傍５８が湾曲線状部分６１の湾曲線６２に嵌合される。この場合、他端側部近傍５８が湾曲線６２に嵌合されるときの嵌合力が強いことから、他端側部５７の先端５７Ｐにより一端側部５６が良好に押圧される。
【００５８】
また、本実施の形態の湾曲線状部分５０の代わりに、この湾曲線状部分５０に対応する湾曲線状部分６４は、図４の破線に示すように、直線状部分４９Ｂに連続した直線６５と、狭隘部５２に連続した湾曲線６６とが相互に連続して構成されたものでもよい。このときには、可撓性ブッシュ５３の他端側部５７が湾曲線状部分６４の湾曲線６６に嵌合され、他端側部近傍５８が湾曲線状部分６４の直線６５に嵌合される。他端側部５７が湾曲線６６に嵌合されるときの嵌合力が強いことから、他端側部５７の先端５７Ｐにより一端側部５６が良好に押圧される。
【００５９】
更に、上記実施の形態では、右サイドフレーム１７に開口部４７が形成され、この開口部４７の開口縁４８に可撓性ブッシュ５３が組み付けられるものを述べたが、プリンタ本体１１における他のフレーム（例えば左サイドフレーム１６、メインフレーム１５等）に形成された開口部の開口縁に可撓性ブッシュ５３を嵌合して組み付ける場合にも、本発明を適用できる。
【００６０】
【発明の効果】
請求項１に記載の発明に係る可撓性ブッシュの組付構造によれば、開口縁を備えた開口部が板状体に形成され、上記開口縁は、対向する二直線を湾曲線が含まれる線分を用いて連結する形状であり、この開口縁に可撓性ブッシュを嵌合して組み付ける可撓性ブッシュの組付構造において、上記可撓性ブッシュは、一端側部が上記開口縁の直線状部分に嵌合され、他端側部とその近傍の少なくとも一方が上記開口縁の湾曲線状部分に嵌合され、この他端側部の先端が、上記一端側部を押圧するよう構成されたことから、開口部の開口縁に可撓性ブッシュを脱落しないよう確実に組み付けることができる。
【００６１】
請求項３に記載の発明に係る記録装置によれば、プラテンに沿って走行可能なキャリッジに、複数の記録ワイヤを備えた記録ヘッドが搭載される記録装置本体を有し、上記記録ワイヤを上記プラテンに向かって突出動作させて、上記記録ヘッドとプラテンとの間に搬送されるシートに画像を記録させ、上記記録装置本体のフレームには、開口縁を備えた開口部が形成され、上記開口縁は、対向する二直線を湾曲線が含まれる線分を用いて連結する形状であり、この開口縁に可撓性ブッシュが嵌合されて組み付けられる記録装置において、上記可撓性ブッシュは、一端側部が上記開口縁の直線状部分に嵌合され、他端側部とその近傍の少なくとも一方が上記開口縁の湾曲線状部分に嵌合され、この他端側部の先端が、上記一端側部を押圧するよう構成されたことから、開口部の開口縁に可撓性ブッシュを脱落しないように確実に組み付けることができる。
【図面の簡単な説明】
【図１】本発明に係る記録装置の一実施の形態が適用されたドットインパクトプリンタのプリンタ本体を示す斜視図である。
【図２】図１のプリンタ本体を示す側断面図である。
【図３】図１のサイドフレーム等を示す斜視図である。
【図４】図３の右サイドフレームの一部を示す正面図である。
【図５】図４の右サイドフレームの開口部に可撓性ブッシュが装着された状態を示す正面図である。
【図６】図５の可撓性ブッシュを示し、（Ａ）が斜視図、（Ｂ）が側面図である。
【図７】従来の記録装置における右サイドフレームを可撓性ブッシュとともに示す正面図である。
【符号の説明】
１０  プリンタ（記録装置）
１１  プリンタ本体（記録装置本体）
１７  右サイドフレーム
１８  記録ヘッド
１９  キャリッジ
２０  プラテン
４７  開口部
４８  開口縁
４９Ａ、４９Ｂ  開口縁の直線状部分
５０、５１  開口縁の湾曲線状部分
５２  開口縁の狭隘部
５３  可撓性ブッシュ
５６  可撓性ブッシュの一端側部
５７  可撓性ブッシュの他端側部
５６Ｐ  一端側部の先端
５７Ｐ  他端側部の先端
５８  可撓性ブッシュの他端側部近傍
５９  鋭角形状部
Ｋ  カットシート
【図１】
0004085569.tif 000002
【図２】
0004085569.tif 000003
【図３】
0004085569.tif 000004
【図４】
0004085569.tif 000005
【図５】
0004085569.tif 000006
【図６】
0004085569.tif 000007
【図７】
0004085569.tif 000008